(57)【要約】  諸実施形態は、モバイル通信システムにおけるモバイル中継局トランシーバ（４、１０、１２）のための装置（２）に関し、この装置は、ドナー基地局トランシーバと通信するためのドナー・インターフェース（６）であって、トラッキング・エリア更新を求める要求をドナー基地局に提出するように機能することができる、ドナー・インターフェース（６）と、中継局トランシーバのための別の装置と通信するための中継インターフェース（８）であって、中継局トランシーバのためのその別の装置からトラッキング・エリア情報を受信するように機能することができる、中継インターフェース（８）とを備える。
2015510346.tif 000002
【特許請求の範囲】
【請求項１】
モバイル通信システムにおけるモバイル中継局トランシーバ（４、１０、１２）のための装置（２）であって、
ドナー基地局トランシーバ（３４）と通信するためのドナー・インターフェース（６、１６）であり、トラッキング・エリア更新を求める要求をドナー基地局（３０）に提出するように機能することができる、ドナー・インターフェース（６、１６）と、
中継局トランシーバのための別の装置と通信するための中継インターフェース（８、１８）であり、中継局トランシーバ（１２）のための前記別の装置（１４）からトラッキング・エリア情報を受信するように機能することができる、中継インターフェース（８、１８）と
を備える、装置（２）。
【請求項２】
前記ドナー・インターフェース（６、１６）が、前記ドナー基地局（３０）から前記トラッキング・エリア情報を受信するようにさらに機能することができる、請求項１に記載の装置（２）。
【請求項３】
前記中継インターフェース（８、１８）が、トラッキング・エリア情報を中継局トランシーバ（１２）のための前記別の装置（１４）へ送信するようにさらに機能することができる、請求項１に記載の装置（２）。
【請求項４】
前記中継インターフェース（８、１８）が、トラッキング・エリア情報を求める要求を中継局トランシーバ（１２）のための前記別の装置（１４）へ送信するようにさらに機能することができる、請求項１に記載の装置（２）。
【請求項５】
前記中継インターフェース（８、１８）が、前記ドナー基地局（３０）から前記ドナー・インターフェース（６、１６）において肯定応答信号が受信されると前記要求を送信するように機能することができ、前記肯定応答信号が、成功裏に実行されたトラッキング・エリア更新を示している、請求項４に記載の装置（２）。
【請求項６】
前記トラッキング・エリア情報が、ＭＭＥアイデンティティー情報およびドナー基地局のリストというグループのうちの少なくとも１つを含む、請求項１に記載の装置（２）。
【請求項７】
前記中継インターフェース（８、１８）がワイヤレス・インターフェースである、請求項１に記載の装置（２）。
【請求項８】
請求項１に記載の装置（２）と、ユーザ機器とワイヤレスに通信するように機能することができるエア・インターフェースとを備える、モバイル通信システムのためのモバイル中継局トランシーバ（１０）。
【請求項９】
請求項８に記載の第１のモバイル中継局トランシーバ（１０）と、請求項８に記載の第２のモバイル中継局トランシーバ（１２）とを含む通信システムであって、前記第１および第２のモバイル中継局トランシーバ（１０、１２）が、それらのそれぞれの中継インターフェース（８、１８）を介して通信するように機能することができる、通信システム。
【請求項１０】
前記第２のモバイル中継局トランシーバ（１２）が、前記トラッキング・エリア更新を求める前記要求を、当該第２のモバイル中継局トランシーバ（１２）のドナー・インターフェース（１６）を介して提出するように、および前記関連付けられているトラッキング・エリア情報を前記第１のモバイル中継局トランシーバ（１０）から当該第２のモバイル中継局トランシーバ（１２）の中継インターフェース（１８）を介して受信するように機能することができる、請求項９に記載の通信システム。
【請求項１１】
請求項１０に記載の通信システムを含む、大量輸送の手段（２８）。
【請求項１２】
モバイル通信システムのための基地局（３０）であって、
ドナー基地局トランシーバとして、請求項８に記載の関連付けられているモバイル中継局トランシーバ（１０、１２）のドナー・インターフェース（６、１６）と通信するように機能することができるワイヤレス・インターフェース（３４）と、
モビリティー管理エンティティー（３８）と通信するためのネットワーク・インターフェース（３６）であり、前記ワイヤレス・インターフェース（３４）を通じて前記モバイル中継局トランシーバ（１２）に関連付けられると、前記モバイル中継局トランシーバ（１２）に代わって、トラッキング・エリア更新を求める要求を提出するように機能することができる、ネットワーク・インターフェース（３６）と
を備える、基地局（３０）。
【請求項１３】
請求項１２に記載の基地局（３０）をさらに含み、前記第１のモバイル中継局トランシーバ（１２）が、前記トラッキング・エリア更新を求める前記要求を、当該第１のモバイル中継局トランシーバ（１２）のドナー・インターフェース（６、１６）を介して提出する一方、前記基地局（３０）が、前記トラッキング・エリア更新を求める前記要求を前記第２のモバイル中継局（１２）に代わって提出する、請求項９に記載の通信システム。
【請求項１４】
モバイル通信システムにおけるモバイル中継局トランシーバのトラッキング・エリア情報を更新するための方法であって、
トラッキング・エリア更新を求める要求を、ドナー・インターフェースを介してドナー基地局に提出するステップ（２４）と、
別の中継局トランシーバから中継インターフェースを介してトラッキング・エリア情報を受信するステップ（２６）と
を含む、方法。
【請求項１５】
コンピュータまたはプロセッサ上で実行されたときに、請求項１４に記載の方法を実行するためのプログラム・コードを有する、コンピュータ・プログラム。
【発明の詳細な説明】
【技術分野】
【０００１】
本発明の実施形態は、一般には、モバイル中継局トランシーバのための装置および方法、ならびにモバイル通信システムのための基地局に関し、より詳細には、グループ・モビリティー・シナリオにおけるトラッキング・エリア情報のための更新機構に関するが、それだけに限定されない。
【背景技術】
【０００２】
モバイル・サービスのためのさらに高いデータ転送速度を求める需要は、着実に増大している。同時に、第３世代システム（３Ｇ）および第４世代システム（４Ｇ）としての現代のモバイル通信システムは、強化された技術を提供し、それらの技術は、さらに高いスペクトル効率を可能にし、さらに高いデータ転送速度およびセル容量を可能にする。したがってワイヤレス・ブロードバンドは、近年において現実のものとなっている。オンライン・マルチメディア、ゲーミング、モバイル・アプリケーション・ダウンローディングなどが、モバイル・ネットワークの優勢なトラフィックになっている。
【０００３】
オペレータは、自らのネットワークのカバレッジを拡張しようとしているため、中継概念が、ますます洗練されたものになっている。国際標準化団体としての第３世代パートナーシップ・プロジェクト（３ＧＰＰ）においては、進化型ＵＭＴＳ地上無線アクセス（Ｅ−ＵＴＲＡ、ここで、ＵＭＴＳとは、ユニバーサル・モバイル・テレコミュニケーション・システムを短縮したものである）のための中継アーキテクチャが論じられており、結果は、Ｔｅｃｈｎｉｃａｌ  Ｒｅｃｏｍｍｅｎｄａｔｉｏｎ  ３６．４１６においてまとめられている。
【０００４】
中継アーキテクチャにおいては、中継局トランシーバが、基地局トランシーバのカバレッジを拡張することができる。基本的な概念は、中継局トランシーバを使用し、中継局トランシーバは、基地局トランシーバから信号を受信し、それらの信号を増幅／転送様式でモバイル・トランシーバまたはユーザ機器へ転送し、その逆も行う。基地局トランシーバからの無線信号は、それぞれ中継局トランシーバから受信され、増幅され、モバイル・トランシーバへ送信される。そのようなシナリオにおいては、中継局は、モバイル・トランシーバによってそのようなものとして識別されることさえ不可能である。他の概念においては、中継局トランシーバは、基地局トランシーバに対応することができ、その基地局トランシーバは、無線インターフェースを介して別の基地局トランシーバ、いわゆるドナー基地局トランシーバに接続されており、基地局としてモバイル・トランシーバ局またはユーザ機器に無線サービスを提供する。
【０００５】
複数のモバイル・トランシーバまたはユーザ機器が通信ネットワークを通じてともに移動するシナリオ内にある、いわゆるグループ・モビリティー・シナリオにおいては、信頼できる安定したサービスをユーザ機器に提供するために、ユーザ機器とともに移動しているモバイル中継局が利用され得る。これは特に、複数のユーザがともに迅速に、たとえば、北京と上海との間における最大３５０ｋｍ／時のスピードの中国鉄路高速（ＣＲＨ）列車などの高速列車において移動しているケースに当てはまる。列車内でモバイル中継局トランシーバを採用することにより、安定したオペレーションおよび良質の複数のサービスをユーザに提供することができる。
【先行技術文献】
【非特許文献】
【０００６】
【非特許文献１】Ｔｅｃｈｎｉｃａｌ  Ｒｅｃｏｍｍｅｎｄａｔｉｏｎ  ３６．４１６
【発明の概要】
【課題を解決するための手段】
【０００７】
本発明の実施形態は、モバイル中継局トランシーバのための装置またはモバイル中継局トランシーバが使用される場合に、トラッキング・エリア情報の更新に関連付けられているシグナリング・オーバーヘッドがさらに低減され得るという発見に基づいており、このモバイル中継局トランシーバのための装置またはモバイル中継局トランシーバは、ドナー基地局トランシーバと通信するためのドナー・インターフェースに加えて、中継局トランシーバのための別の装置と通信するための中継インターフェースであって、中継局トランシーバのためのその別の装置からトラッキング・エリア情報を受信するように機能することができる中継インターフェースを有している。つまり、複数のモバイル中継局のシナリオにおいては、たとえば列車またはバスなどにおいてともに移動する複数のモバイル中継局は、中継局トランシーバの共通のトラッキング・エリアに関連付けられているトラッキング・エリア情報を共有するための中継インターフェースを利用することができる。
【０００８】
モバイル中継局トランシーバは、関連付けられているドナー基地局トランシーバに対する、すべてのモバイル・トランシーバ、すなわちユーザ機器のジョイント・トラフィックを取り扱うが、モバイル・トランシーバは、モバイル通信ネットワーク内でモビリティー管理エンティティー、ホーム・サブスクライバー・サービス、または類似のエンティティーに対してそれ自体のロケーションを個々に更新する必要はない。高速列車内で採用されているモバイル中継局トランシーバが、１つのドナー基地局トランシーバから近隣のドナー基地局トランシーバへ移動するときには、そのモバイル中継局トランシーバに関連付けられているすべてのユーザ機器に属するトラッキング・エリアが変わる場合がある。トラッキング・エリア更新を、特定のモバイル中継局トランシーバに関連付けられているすべてのユーザ機器の同時トラッキング・エリア更新から、そのモバイル中継局トランシーバへシフトさせることによって、関連付けられているネットワーク・ロードが既に低減されている場合がある。つまり、ネットワークに対するそれぞれのユーザ機器の更新シグナリングのバーストが回避され得る。一般に、トラッキング・エリア更新とは、ネットワークを通じて移動する任意のモバイル・トランシーバによって、着信データ接続または着信コールのケースにおいてそのトランシーバをページすることを可能にするためになど、そのモバイル・トランシーバの現在位置で中央エンティティー、たとえばモビリティー管理エンティティー（ＭＭＥ）、またはホーム・サブスクライバー・サービス（ＨＳＳ）を更新する目的で開始される手順として理解される。
【０００９】
モバイル中継局トランシーバに伴うそれらのシナリオと比較すると、本発明の実施形態は、トラッキング・エリア更新によってもたらされるシグナリング・オーバーヘッドをさらにいっそう低減することができる。これらは、関連付けられているモバイル基地局トランシーバがアイドル・モードにある場合でさえ、つまり、それらのモバイル基地局トランシーバがネットワークとの間でペイロード・データをやり取りしていない場合でさえ、生じることが可能である。この点に関して、「モバイル通信システム」および「モバイル通信ネットワーク」という用語は、本明細書においては同義に使用されることを指摘することができる。モバイル中継局トランシーバは、カバレッジ・エリアを有し、そのカバレッジ・エリア内に、モバイル・トランシーバが配置され得る。モバイル通信システムは、複数の基地局トランシーバと、モバイル・トランシーバとを含む。モバイル・トランシーバは、アイドル・モードにある間にはモバイル中継局トランシーバに関連付けられており、アイドル・モードとは、データ送信が非アクティブな状態である。言い換えれば、また一般には、モバイル通信ネットワークにおいて通信を行うように適合されているモバイル・トランシーバにとっては、２つの基本的な状態が区別され得る。第１の状態、いわゆるアイドル状態は、モバイルがネットワークとのアクティブな接続、またはデータ・セッションを有していない状態である。言い換えれば、モバイル・トランシーバとネットワークとの間においてアクティブなデータのやり取りがない。たとえデータがやり取りされていなくとも、モバイル・トランシーバは、依然としてネットワークに登録されており、そのモバイル・トランシーバとの間でコールまたはデータ・セッションが確立されることが要求された場合には、ネットワークがそのモバイル・トランシーバにクエリーを行うことができる。そのような状況においては、ネットワーク内のモビリティー管理エンティティーが、モバイル・トランシーバにクエリーを行うことができ、その手順は、「ページング」とも称される。
【００１０】
いくつかの実施形態によるモバイル中継局トランシーバのための装置は、トラッキング・エリア更新をドナー基地局に要求するためにドナー基地局トランシーバと通信するためのドナー・インターフェース、ならびに別の中継局トランシーバに既に以前にシグナリングされたトラッキング・エリア情報を受信するためにその別の中継局トランシーバと通信するための中継インターフェースを含む。ネットワーク、モビリティー管理エンティティー、ホーム・サブスクライバー・サーバなどによって提供されるトラッキング・エリア情報は、ともに移動しているモバイル中継局トランシーバのうちの両方にとって同一となるため、それらの情報は、中継インターフェースを介してともに接続されている両方の受信機の間で共有され得る。したがって、接続されているモバイル中継局のグループに複数回にわたって重複してトラッキング・エリア情報をシグナリングするためのダウンストリーム帯域幅が節約され得る。
【００１１】
ネットワークのモビリティー管理エンティティーから個々のモバイル中継局トランシーバへダウンストリームにシグナリングされるトラッキング・エリア情報は、たとえば、特定のＭＭＥに関連付けられているトラッキング・エリア内に存在するトランシーバのモビリティーを調整するモビリティー管理エンティティーを一意に識別するＭＭＥアイデンティティー情報を含むことができる。さらに、トラッキング・エリア情報は、特定のトラッキング・エリアに属するドナー基地局もしくは基地局のグループまたはそれらのグループに関する一意の識別に関連していることがあり得る。トラッキング・エリア情報のさらなる可能性としては、トラッキング・エリアに属するドナー基地局のリスト、またはそれぞれのドナー基地局に割り振られている一意のＩＤのリストを含むことができる。トラッキング・エリア情報は、モバイル通信システム内の特定のトラッキング・エリアを一意に識別することを可能にする他の任意のタイプの情報シグナリングまたはフラグをさらに含むことができる。トラッキング・エリア情報は、トラッキング・エリア情報リスト（ＴＡＩリスト）（概して言えば、トラッキング・エリア（ＴＡ）のリスト）を含むこともできる。
【００１２】
上述の考察が示しているように、モバイル中継局トランシーバのための装置の実施形態は、関連付けられているモバイル中継局トランシーバが、１つのトラッキング・エリアから、それの現在のＴＡＩリスト内に記憶されていない新たなトラッキング・エリアへ遷移したときにトラッキング・エリアの変更が生じた場合に、コア・ネットワークにおけるシグナリング情報オーバーヘッドをさらに低減する上で役立つことができる。これは、第１のトラッキング・エリアに属するドナー基地局トランシーバのカバレッジから、モバイル中継局トランシーバの現在のＴＡＩリスト内に含まれていない、異なるまたは新たな第２のトラッキング・エリアに属するドナー基地局トランシーバへの遷移に関連付けられることが可能である。これは典型的には、モバイル中継局トランシーバが、新たなトラッキング・エリアに関連付けられるようになるために、トラッキング・エリア更新を求める要求を開始するようにさせる。
【００１３】
さらなる実施形態によれば、モバイル中継局トランシーバのための装置のドナー・インターフェースは、ドナー基地局からトラッキング・エリア情報を受信するようにさらに機能することができる。つまり、それらの実施形態による装置は、一方では、別のモバイル中継局トランシーバからトラッキング・エリア情報を受信するモバイル中継局トランシーバにおいて実装され得、または他方では、他のモバイル中継局トランシーバへ情報を配信できるようにするためになど、コア・ネットワークまたはドナー基地局からドナー・インターフェースを介してトラッキング・エリア情報を受信することができる。
【００１４】
この目的のために、いくつかの実施形態は、トラッキング・エリア情報を他の中継局トランシーバへ送信するようにさらに機能することができる中継インターフェースを実装する。いくつかの実施形態によれば、第１のモバイル中継局トランシーバから第２のモバイル中継局トランシーバへのトラッキング・エリア情報の提出は、ブロードキャスト・ベースまたはオンデマンド・ベースで実行され得る。モバイル中継局トランシーバのための装置がトラッキング・エリア情報を別のモバイル中継局トランシーバに要求することを可能にするために、いくつかの実施形態は、トラッキング・エリア情報を求める要求を送信するように機能することができる中継インターフェースを実装する。これは、その後のブロードキャスティングを回避することによって、中継局トランシーバ間の通信におけるさらなる帯域幅を節約する役割を果たすことができる。
【００１５】
中継インターフェースは、ワイヤード・インターフェースまたはワイヤレス・インターフェースであることが可能である。ワイヤレス・インターフェースを利用することにより、さらなるハードウェア・コストを節約できるようにするためになど、さらなる情報をシグナリングするための既存のワイヤレス送信機の再利用を可能にすることができる。いくつかの実施形態によれば、前の段落において論じたモバイル中継局トランシーバのための装置は、さらなる機能を提供するために従来のモバイル中継局に、とりわけ、ドナー基地局（以降では、ドナーｅＮｏｄｅＢまたはＤｅＮＢとも称される）と通信するためのそのワイヤレス・インターフェースに連結されているさらなる回路、装置、または論理回路である。さらなる実施形態によれば、モバイル中継局トランシーバは、そのような装置、したがって、そのハードウェア、ソフトウェアなどにおける新たな機能を実装する。
【００１６】
モバイル中継局トランシーバのそのような一実施形態は、コア・ネットワークまたはドナー基地局から、モバイル中継局トランシーバに関連付けられているユーザ機器へ、およびその逆へトラフィックを転送するためになど、ユーザ機器とワイヤレスに通信するように機能することができるエア・インターフェースを含むことができる。
【００１７】
いくつかの実施形態によれば、たとえば大量輸送の手段においてともに移動する、１つの通信システムを形成している２つのモバイル中継局トランシーバは、そのＴＡＩリスト内に含まれていない新たなトラッキング・エリアに関連付けられているドナー基地局によってカバーされるエリアに入ったときに、トラッキング・エリア更新を求める要求を個々に送信する。すなわち、第１のモバイル中継局トランシーバは、同じ新たなトラッキング・エリアに入ったときに、トラッキング・エリア更新を求める要求を、そのドナー・インターフェースを介してドナー基地局に提出し、第２のモバイル中継局トランシーバは、その後にその新たなトラッキング・エリアに入ったときに、トラッキング・エリア更新を求める要求をドナー基地局に提出する。
【００１８】
しかしながら、さらなる実施形態によれば、新たなトラッキング・エリア内に入る第１のモバイル中継局トランシーバのみが、それ自体を新たな基地局に関連付けた後にそのドナー・インターフェースを介して、トラッキング・エリア更新を求める要求を提出する一方、新たな基地局は、第２のモバイル中継局トランシーバがその新たな基地局に関連付けられると、第２のモバイル中継局トランシーバに代わって、トラッキング・エリア更新を求める要求を提出する。これにより、モバイル中継局トランシーバと、関連付けられているドナー基地局との間におけるシグナリング帯域幅、すなわち、アップ・ストリーム帯域幅をさらに節約する役割を果たすことができる。したがって、本発明のいくつかの実施形態は、ドナー基地局として、関連付けられているモバイル中継局トランシーバのドナー・インターフェースと通信するように機能することができるワイヤレス・インターフェース、ならびにモビリティー管理エンティティーと通信するためのネットワーク・インターフェースを含む、モバイル通信システムのための基地局を含む。ネットワーク・インターフェースは、ワイヤレス・インターフェースを通じて特定のモバイル中継局トランシーバに関連付けられると、モバイル中継局トランシーバに代わって、トラッキング・エリア更新を求める要求を提出するように機能することができる。
【００１９】
いくつかの実施形態は、この方法を実行するための装置内に取り付けられているデジタル制御回路を含む。そのようなデジタル制御回路、たとえばデジタル・シグナル・プロセッサ（ＤＳＰ）は、それに応じてプログラムされる必要がある。したがって、さらなる実施形態はまた、コンピュータ・プログラムであって、そのコンピュータ・プログラムがコンピュータまたはデジタル・プロセッサ上で実行されたときにこの方法の実施形態を実行するためのプログラム・コードを有する、コンピュータ・プログラムを提供する。
【００２０】
以降では、単なる例として、添付の図を参照しながら、装置および／または方法のいくつかの実施形態について説明する。
【図面の簡単な説明】
【００２１】
【図１】モバイル中継局トランシーバのための装置の一実施形態を示す図である。
【図２】第１および第２のモバイル中継局トランシーバを含む通信システムを示す図である。
【図３】モバイル中継局トランシーバの実施形態によってやり取りされる制御メッセージのフローの一例を示す図である。
【図４】モバイル中継局トランシーバのトラッキング・エリア情報を更新するための方法を示すフローチャートである。
【図５】２つのモバイル中継局トランシーバと、関連付けられている基地局とを含む通信システムの一実施形態を示す図である。
【図６】図５のシステムによってやり取りされる制御メッセージの可能なフローの一例を示す図である。
【発明を実施するための形態】
【００２２】
次に、さまざまな実施形態について、添付の図面を参照しながら、より詳細に説明する。それらの図においては、明確にするために、ライン、レイヤ、および／または領域の太さが誇張される場合がある。
【００２３】
したがって、実施形態は、さまざまな修正形態および代替的な形態とすることができるが、それらの実施形態について、図において例として示し、本明細書において詳細に説明する。しかしながら、例示的な実施形態を、開示されている特定の形態に限定する意図はなく、それとは逆に、例示的な実施形態は、本発明の範囲内に含まれるすべての修正形態、等価物、および代替形態を対象として含むべきであることを理解されたい。同様の番号は、それらの図の説明の全体を通じて同様のまたは類似の要素を指す。
【００２４】
ある要素が別の要素に「接続されている（ｃｏｎｎｅｃｔｅｄ）」または「連結されている（ｃｏｕｐｌｅｄ）」と称される場合には、その要素は、存在する可能性のある他の要素または介在する要素に直接に接続され、または連結されていることが可能であることが理解されよう。対照的に、ある要素が別の要素に「直接に接続されている（ｄｉｒｅｃｔｌｙ  ｃｏｎｎｅｃｔｅｄ）」または「直接に連結されている（ｄｉｒｅｃｔｌｙ  ｃｏｕｐｌｅｄ）」と称される場合には、介在する要素は存在していない。要素の間の関係を説明するために使用される他の単語も、同様にして解釈されるべきである（たとえば、「間に（ｂｅｔｗｅｅｎ）」に対する「直接に間に（ｄｉｒｅｃｔｌｙ  ｂｅｔｗｅｅｎ）」、「隣接する（ａｄｊａｃｅｎｔ）」に対する「直接に隣接する（ｄｉｒｅｃｔｌｙ  ａｄｊａｃｅｎｔ）」など）。
【００２５】
本明細書において使用される専門用語は、特定の実施形態を説明する目的のためだけであり、例示的な実施形態の限定を意図してはいない。本明細書において使用される際には、単数形の「１つの（ａ）」、「１つの（ａｎ）」、および「その（ｔｈｅ）」は、文脈が明らかにそうではないことを示していない限り、同様に複数形も含むことが意図されている。「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」という用語は、本明細書において使用される際には、言及されている特徴、整数値、ステップ、動作、要素、および／または構成要素の存在を指定するが、１つまたは複数の他の特徴、整数値、ステップ、動作、要素、構成要素、および／またはそれらのグループの存在または追加を除外するものではないことがさらに理解されよう。
【００２６】
別段の定義のない限り、本明細書において使用されているすべての用語（技術用語および科学用語を含む）は、例示的な実施形態が属する技術分野の当業者の１人によって一般に理解される意味と同じ意味を有する。さらに、たとえば、一般に使用されている辞書に定義されているような用語は、関連する技術分野のコンテキストにおけるそれらの用語の意味と一致する意味を有するものと解釈されるべきであり、本明細書において明示的な定義のない限り、理想化された意味または過度に形式的な意味に解釈されないことがさらに理解されよう。
【００２７】
図１は、モバイル通信システムにおけるモバイル中継局トランシーバ４のための装置２の一実施形態を示している。装置２は、図１に示されているように、モバイル中継局トランシーバ４に連結されている独立した装置、ハードウェアなどであることが可能である。図１は、単なる例示的な目的で任意選択のモバイル中継局トランシーバ４を破線で示している。しかしながら、さらなる実施形態によれば、モバイル中継局トランシーバのための装置は、モバイル中継局トランシーバに統合されること、そのソフトウェアにおいて実装されること、またはモバイル中継局トランシーバのハウジング内にさらなるハードウェアとして実装され得る。
【００２８】
装置２は、ドナー基地局トランシーバと通信するためのドナー・インターフェース６、ならびに別の中継局トランシーバと、またはモバイル中継局トランシーバのためのさらなる装置と通信するための中継インターフェース８を含む。ドナー・インターフェース６は、トラッキング・エリア更新を求める要求を、その装置に現在関連付けられているドナー基地局に提出するように機能することができる。図１に示されているように、ドナー・インターフェース６は、ドナー基地局トランシーバと通信するために、ワイヤレス技術またはワイヤード技術を利用することができる。また、中継インターフェース８は、任意のワイヤードまたはワイヤレスの輸送媒体、プロトコルなどを使用して、通信を行うことができる。ドナー・インターフェース６は、トラッキング・エリア更新を求める要求を、必要な場合に、すなわち典型的には、関連付けられているモバイル中継局トランシーバが、それがまだ割り振られていないネットワークの新たなトラッキング・エリア内に入った場合に、関連付けられているドナー基地局に提出するように機能することができる。これは、トラッキング・エリアのローカルに格納されているリスト、ＴＡＩリストを、新たなトラッキング・エリアと比較することによって、装置２によって特定され得る。中継インターフェース８は、たとえば、シグナリング目的での不必要なダウンリンク・トラフィックを回避するために、中継インターフェース８に連結されている中継局トランシーバに関する別の装置からのトラッキング・エリア情報を受信するように機能することができる。トラッキング・エリア情報は、たとえば、新たなまたは更新されたトラッキング・エリア情報リスト（ＴＡＩリスト）（概して言えば、トラッキング・エリア（ＴＡ）のリストである）を含むことができる。
【００２９】
モバイル中継局トランシーバ４と装置２との間を連結することはさらに、任意の知られているワイヤレス技術またはワイヤード技術を使用して実施され得ることは言うまでもない。たとえば、装置２は、本発明の一実施形態による装置２を使用することによって、新たな機能を用いて既存の従来のモバイル中継局トランシーバをアップグレードできるようにするためになど、従来のモバイル中継局トランシーバとドナー基地局との間における通信のためにも使用されるワイヤレス・インターフェースを使用して、従来のモバイル中継局トランシーバ４に連結され得る。
【００３０】
図２は、モバイル中継局トランシーバのための装置２を組み込んでいる第１のモバイル中継局トランシーバ１０、ならびにモバイル中継局トランシーバのための装置１４を組み込んでいる第２のモバイル中継局トランシーバ１２を含む通信システムを示している。装置１４は、ドナー・インターフェース１６および中継インターフェース１８を含む。ドナー・インターフェースおよび中継インターフェースの機能については、図１のモバイル中継局トランシーバ４のための装置２に関する前述の段落において既に詳述済みである。
【００３１】
第１および第２のモバイル中継局トランシーバ１０および１２は、互いに通信できるようにするためになど、それらのそれぞれの中継インターフェース８および１８によって連結されている。図２に示されている通信システムがともに進む場合には、その通信システムは、わずかに異なる時点にではあるが、ともにモバイル通信システムの新たなトラッキング・エリア内に入ることになる。以降の考察に関しては、第１のモバイル中継局トランシーバ１０が、新たなトラッキング・エリア内に最初に入ると想定する。このイベントにおいては、第１のモバイル中継局トランシーバ１０は、トラッキング・エリア更新を求める要求を、必要な場合に、すなわち、新たなトラッキング・エリアが自らのＴＡＩリストに属していない場合に、自らのドナー・インターフェース６を介して、新たなトラッキング・エリアに属している新たな基地局に提出する。モバイル通信ネットワークによって、たとえば、そのネットワーク内のＭＭＥまたはＨＳＳによってトラッキング・エリア更新が実行された後に、新たなトラッキング・エリアに関連付けられているトラッキング・エリア情報が、ネットワークによって、すなわち、ＭＭＥ、ＨＳＳ、または新たなドナー基地局によって第１のモバイル中継局トランシーバ１０に提出され、第１のモバイル中継局トランシーバ１０は、ドナー・インターフェース６を介して、その情報を受信する。
【００３２】
第２のモバイル中継局トランシーバ１２がすぐ後に新たなトラッキング・エリアに入った場合には、第２のモバイル中継局トランシーバ１２も、トラッキング・エリア更新を求める要求を、自らの関連付けられているドナー・インターフェース１６を使用して、ドナー基地局に提出する。また、第２のモバイル中継局トランシーバ１２が、新たなトラッキング・エリアに属するように更新されると、同じ新たなトラッキング・エリア情報がダウンストリームへ再送される必要はない。なぜなら、第２のモバイル中継局トランシーバ１２は、そのトラッキング・エリア情報を、第１のモバイル中継局トランシーバ１０から中継インターフェース１８を介して受信することができるためである。すなわち、第１のモバイル中継局トランシーバ１０は、以前に受信されたトラッキング・エリア情報を、自らの中継インターフェース８を介して第２のモバイル中継局トランシーバ１２へ送信し、第２のモバイル中継局トランシーバ１２は、自らの関連付けられている中継インターフェース１８を介して、その情報を受信する。
【００３３】
すなわち、いくつかの実施形態によれば、中継インターフェースは、トラッキング・エリア情報を送信するように、ならびにトラッキング・エリア情報を受信するように機能することができる。トラッキング・エリア情報は、第１のモバイル中継局トランシーバ１０から第２のモバイル中継局トランシーバ１２へ自動的に提出され得、または第２のモバイル中継局受信機１２は、関連付けられているメッセージによってその情報を送信することを要求することができる。この目的のために、第２のモバイル中継局トランシーバ１２は、トラッキング・エリア情報を求める要求を、自らの中継インターフェース１８を介して第１のモバイル中継局トランシーバ１０へ送信することができる。いくつかの実施形態によれば、この要求の送信は、第２のモバイル・中継局・ステーション・トランシーバ１２によってそのドナー・インターフェース１６を介して受信された肯定応答信号によってトリガーされ得、その肯定応答信号は、ネットワークによる、たとえば、ＭＭＥまたはＨＳＳによる成功裏に実行されたトラッキング・エリア更新を示す。
【００３４】
ネットワークによって提出されるトラッキング・エリア情報は、たとえば、ＭＭＥアイデンティティー情報、または新たなトラッキング・エリアを形成するドナー基地局のリスト（本明細書においては、ＴＡＩリストとも称される）、または両方のセットの情報全体であることが可能である。この目的のために、モバイル中継局１０および１２は、たとえば、トラッキング・エリアのローカルに格納されているリストを新たなドナー基地局の新たなトラッキング・エリアと比較することによって、トラッキング・エリア更新を開始する必要性について知ることができる。新たなトラッキング・エリアがリスト内に含まれていないと、モバイル中継局トランシーバは、トラッキング・エリア更新がモバイル中継局トランシーバによって開始されなければならないと結論付けることができる。しかしながら、トラッキング・エリア更新が必要とされているか否かをモバイル中継局トランシーバが判断できるようにすることなど、任意のさらなる方法が実施されることも可能であることは言うまでもない。
【００３５】
図３は、本発明の一実施形態を実施するためなどの、第１および第２のモバイル中継局トランシーバと、コア・ネットワークの構成要素との間におけるプロトコル・メッセージのフローの１つの可能な実施態様を示している。
【００３６】
第１のモバイル中継局トランシーバ１０のためにトラッキング・エリア更新を実行するための第１のメッセージ・フロー２０は、従来の手法に対応することができるが、以降の段落において詳述するように、第２のモバイル中継局トランシーバ１２のためにトラッキング・エリア更新を実行するための第２のメッセージ・フロー２２は異なる。以降では、例示的なネットワーク構成内でやり取りされる個々のメッセージは、上から下へ、すなわち、それらがモバイル通信ネットワーク内に現れる時間順に論じられる。
【００３７】
トラフィック・エリア更新（ＴＡＵ）手順を開始するための任意のトリガー条件に際して、第１のモバイル中継局トランシーバ１０は、トラッキング・エリア更新を求める要求を、それが関連付けられている、すなわち、その移動しているモバイル中継局トランシーバ１０に現時点でサービス提供することができる新たなドナー基地局トランシーバ２２に提出することによって、ＴＡＵ手順を開始する。トラッキング・エリア更新要求は、ドナー基地局トランシーバ２２によって受信されると、新たなドナー基地局２２に関連付けられているすべてのモバイル・トランシーバまたはユーザ機器のモビリティーを管理することを担当する新たなモビリティー管理エンティティー（新たなＭＭＥ）に転送される。
【００３８】
新たなＭＭＥは、新たなドナー基地局２２にそれが関連付けられる前に第１のモバイル中継局トランシーバ１０のモビリティー管理を担当していた古いＭＭＥにコンテキスト要求を発行する。そのコンテキスト要求への応答として、古いＭＭＥは、第１のモバイル中継局トランシーバ１０に関連付けられているコンテキスト情報を新たなＭＭＥへ転送する。そのコンテキスト情報は、たとえば、帯域幅の点でのトランシーバ１０の送信能力、以前に使用されていた無線ベアラなどに関連していることが可能である。そのコンテキスト情報を安全に受信したことが、新たなＭＭＥによって古いＭＭＥに対して肯定応答される。新たなＭＭＥは、コンテキスト情報を受信した状態になると、モバイル中継局トランシーバ１０のための無線ベアラを作成するために、すなわち、ペイロードを送信する目的で使用される無線リソースをモバイル中継局トランシーバ１０に割り振るために、サービング・ゲートウェイ（ＳＧＷ）およびパックド・データ・ネットワーク（ＰＤＮ）ゲートウェイ（ＰＧＷ）のためのベアラ作成要求に対する準備が整う。
【００３９】
たとえば、新たなＭＭＥは、ロング・ターム・エボリューション（ＬＴＥ）アクセスネットワークに関するキー・コントロールノードであることが可能である。新たなＭＭＥは、再送信を含むアイドル・モードＵＥ（ユーザ機器）のトラッキングおよびページング手順を担当する。新たなＭＭＥは、ベアラ・アクティブ化／非アクティブ化処理に関与しており、最初の接続時に、およびＬＴＥ内でのハンドオーバー時にＵＥのためのＳＧＷを選択することも担当する。ＳＧＷは、たとえば、ユーザ・データ・パケットを回送および転送することができ、ｅＮｏｄｅＢまたはＤｅＮＢ間でのハンドオーバー中にユーザ・プレーンのためのモビリティー・アンカーとして機能することもできる。ＰＤＮゲートウェイは、ＵＥに関するトラフィックの出口および入口のポイントであることによって、ＵＥまたはモバイル中継局トランシーバから外部のパケット・データ・ネットワークへの接続を提供することができる。
【００４０】
新たなＭＭＥは、ペイロードを通信するためのリソースをモバイル中継局トランシーバ１０に割り振ると、モバイル中継局トランシーバ１０が新たなＭＭＥを介して到達可能になっている旨を示すロケーション更新要求を、たとえば、この情報をホーム・サブスクライバー・サーバが自らのデータ・ベース内に格納することを可能にするために、ホーム・サブスクライバー・サーバへ送信する。この目的のために、ＨＳＳは、ユーザ関連およびサブスクリプション関連の情報を含む中央のデータベースであることが可能である。ＨＳＳの機能は、モビリティー管理、コールおよびセッション確立サポート、ユーザ認証、およびアクセス承認などの機能を含むことができる。ロケーション更新の成功が、新たなＭＭＥに対して肯定応答され、そして新たなＭＭＥは、トラッキング・エリア更新がそれぞれのネットワーク構成要素によって成功裏に実行された旨を示す肯定応答信号（ＴＡＵ受諾）をモバイル中継局トランシーバ１０へ送信する。
【００４１】
図３に示されている特定の実施形態によれば、肯定応答信号とともに送信されるトラッキング・エリア情報は、新たなＭＭＥを一意に識別するＭＭＥアイデンティティー情報、ならびに新たなＭＭＥの制御の下で新たなトラッキング・エリアを構築するドナー基地局のリストを含むトラッキング・エリア情報リストを含む。モバイル中継局トランシーバ１０は、この情報を関連付けられている自らのメモリ内に格納し、ＴＡＩリストの更新の成功を新たなＭＭＥに対して肯定応答し、したがって、第１のモバイル中継局トランシーバ１０に関するトラッキング・エリア更新の手順および関連付けられているメッセージ・フロー２０を完了する。
【００４２】
第２のモバイル中継局トランシーバ１２のためのトラッキング・エリア更新に関する第２のメッセージ・フロー２２のほとんどの部分は、第１のメッセージ・フロー２０に対応している。したがって、理解を容易にするために、個々のメッセージの繰り返しを省略する。このメッセージ・フローは、第２のモバイル中継局トランシーバ１２においてトリガー条件が生じると開始する。しかしながら、このメッセージ・フローは、新たなＭＭＥによって送信されるトラッキング・エリア更新受諾メッセージ「ＴＡＵ受諾」が、コア・ネットワークによるトラッキング・エリア更新の成功を示す肯定応答信号のみを含み、トラッキング・エリア情報を省略しているという点で、第１のメッセージ・フロー２０とは異なる。第２のモバイル中継局トランシーバ１２は、肯定応答情報を受信した状態になると、トラッキング・エリア情報を求める要求を、自らの中継インターフェース１８を使用して、第１の中継局トランシーバ１０へ送信する。その要求に応答して、第１のモバイル中継局トランシーバ１０は、ＭＭＥから第２のモバイル中継局トランシーバ１２へのダウンストリームのシグナリング帯域幅を節約するためになど、ＭＭＥアイデンティティー情報およびトラッキング・エリア情報リストを、中継インターフェース８を介して第２のモバイル中継局トランシーバ１２に提出する。
【００４３】
図４は、本発明の一実施形態によるモバイル中継局トランシーバのトラッキング・エリア情報を更新するための方法を示すブロック図を示している。提出ステップ２４においては、トラッキング・エリア更新を求める要求が、ドナー・インターフェースを介してドナー基地局に提出され、受信ステップ２６においては、トラッキング・エリア情報が、中継インターフェースを介して別の中継局トランシーバから受信される。
【００４４】
図５は、大量輸送のための手段２８内における、たとえば、図５に概略的に示されている高速列車内における図２の通信システムの一実施形態を示している。図５に示されている通信システムは、第１および第２のモバイル中継局トランシーバ１０および１２のためのドナー基地局としてサービス提供することができるドナー基地局３０をさらに含む。以降では、第１および第２のモバイル中継局トランシーバ１０および１２が、以前に使用されていたドナー基地局３２（ここでは、例示的な目的で示されているにすぎない）からドナー基地局３０へ遷移したときに、トラッキング・エリア更新が必要とされると想定する。ドナー基地局３０は、ドナー基地局としてモバイル中継局１０および１２のドナー・インターフェースと通信するように機能することができるワイヤレス・インターフェース３４、ならびにコア・ネットワーク（やはり、例示的な目的で示されているにすぎない）内のモビリティー管理エンティティー３８と通信するためのネットワーク・インターフェースを含む。基地局３４のワイヤレス・インターフェースと、第２のモバイル中継局トランシーバ１２のドナー・インターフェース１６との間におけるアップストリーム・トラフィックをさらに減らすために、基地局３０のネットワーク・インターフェース３６は、第２のモバイル中継局トランシーバがドナー基地局３０に関連付けられると、トラッキング・エリア更新を求める要求を第２のモバイル中継局トランシーバ１２の代わりに提出するように機能することができる。すなわち、図１〜図３に詳述したように、第１のモバイル中継局トランシーバ１０がトラッキング・エリア更新を既に実行した後に、ドナー基地局３０は、第２のモバイル中継局トランシーバ１２がドナー基地局３０に関連付けられると、第２のモバイル中継局トランシーバ１２のためにトラッキング・エリア更新を開始する。
【００４５】
関連付けは、一実施形態によれば、前のドナー基地局３２からドナー基地局３０へのハンドオーバーの実行に成功したことを意味することができる。しかしながら、さらなる実施形態によれば、前の基地局３２から基地局３０への第２のモバイル中継局１２の遷移は、必ずしも（ＲＲＣ−）接続状態において、すなわち、第２のモバイル中継局トランシーバ１２と、ドナー基地局３０または３２のいずれかとの間でペイロード・データがやり取りされる状態において実行される必要はない。したがって関連付けは、モバイル中継局トランシーバまたはユーザ機器（ＵＥ）と、主として、そのモバイル中継局トランシーバまたはそのユーザ機器が、関連付けられている基地局を介してデータをやり取りすることを可能にする基地局との間における接続を確立する任意の方法であると理解される。
【００４６】
トラッキング・エリア更新を求める要求を第２のモバイル中継局トランシーバ１２に代わって提出することによって、さらなるアップリンク帯域幅が節約され得る一方、前の段落において図１〜図４に関連して論じた実施形態に従ってダウンストリーム・シグナリングが実行され得る。
【００４７】
大量輸送のための手段２８に関する一例として列車が示されているが、さらなる通信システムが、たとえばバス、航空機、船舶等などの大量輸送のための他の任意の手段において実施され得ることは言うまでもない。
【００４８】
図６は、図５に示されているトラッキング・エリア更新手順の可能な一実施態様のメッセージ・フローを示している。第１のモバイル中継局トランシーバ１０のトラッキング・エリア更新手順に関する第１のメッセージ・フロー２０は、図３に関連して論じたメッセージ・フローと同一であるが、第２のモバイル中継局トランシーバ１２の更新手順に関連付けられている第３のメッセージ・フロー４０は異なる。したがって、第１のメッセージ・フロー２０に関連した相違点についてのみ、以降の段落において手短に論じる。前述の実施形態に関連した相違点は、第２のモバイル中継局トランシーバ１２のためのトラッキング・エリア更新要求は、必要とされるアップリンク帯域幅を節約するために、第２のモバイル中継局トランシーバ１２に代わって新たなドナー基地局３０によって開始され、送信されるという点である。第２の基地局トランシーバ１２に代わってＴＡＵ要求を開始するトリガー条件は、成功したハンドオーバーの完了であることが図６に示されているが、さらなる実施形態においては、他の任意のトリガー条件が実施され得る。すなわち、本明細書において論じられている概念を実施するモバイル中継基地局トランシーバ１０および１２は、必ずしも永久に、新たなドナー基地局３０との接続状態に、すなわち、ペイロード・データを転送することを可能にする状態にある必要はない。
【００４９】
上述の内容を別の言い方で要約すると、モバイル中継局トランシーバ（ＭＲ）が、高速列車上で採用されていて、１つのＤｅＮＢから別のＤｅＮＢに向かって移動する場合には、このＭＲ上にキャンプしているＵＥが属しているトラッキング・エリアは、異なる場合がある。通常は、その列車上の多数のＵＥが、ともにトラッキング・エリア更新手順を実行して、トラッキング・エリア情報を更新し、それによって、ネットワークに対する更新シグナリングのバーストが生じることになる。更新シグナリングのバーストを回避するために、そのようなグループ・モビリティー・シナリオを取り扱う方法が研究されている。以降の開示は、複数のモバイル中継のシナリオにおいてトラッキング・エリアを更新する方法を提示する。
【００５０】
ここでは、モバイル中継シナリオのためのＴＡＵに関するいくつかのアイデアについて、概念段階において論じる。１つのオプションは、ＭＲ、およびこのＭＲ上にキャンプしているＵＥに、ＴＡのリストを構成させることであり、その事前に構成されたＴＡＩリストをＭＲが渡す限り、そのリストは、それらのＭＲおよびＵＥがいかなるＴＡＵを与えることも必要としない。しかしながら、高速列車の走行ルートが長い場合には（たとえば、北京から上海までのルートは、約１４００ｋｍである）、ＵＥのためのページング・メッセージをルート沿いのすべてのＤｅＮＢに対して行うことをＭＭＥに要求することは不可能である。別のさらに進んだ方法は、ＭＲ上にキャンプしているＵＥに静的なＴＡＩリストを保持させることであり、ＭＲは、通常はＴＡＩの短いリストで構成される。ＭＲは、そのＴＡＩリスト内にない新たなＴＡを検知した場合には、ＴＡＵ手順を実行する。
【００５１】
複数のモバイル中継のシナリオに伴って高速列車内に採用され得るＴＡＵ方法は、下記の態様に基づくことが可能である。
【００５２】
１．高速列車が軌道に沿って高速で移動している場合には、基本的なアイデアは、ＭＲによってサービス提供されているＵＥに、ＭＲによって制御される静的なＴＡＩリストを保持させることである。ＵＥは、１つの車両から別の車両へ移動した場合には、いかなるＴＡＵも実行しない。列車がＴＡを横切った場合には、ＭＲのみが、ＴＡＵ手順を実行する。
【００５３】
２．高速列車上で採用される複数のモバイル中継があるシナリオについて考察する。各ＭＲは、限られたカバレッジ・エリアを有しており、それのカバレッジ・エリア内のＵＥのグループにサービス提供する。列車が軌道に沿って走行している場合には、ＭＲは、格納されている自らのＴＡＩリスト内にない新たなＴＡにそれ自体が入ったことを検知し、ＴＡＵ手順を開始するようトリガーする。
【００５４】
協同のＴＡＵ手順の基本的なアイデアは、列車上の複数のＭＲにＴＡＩリスト情報を共有させることである。列車上の第１のＭＲは、新たなＭＭＥによって制御されるＴＡ内に入ると、新たなＭＭＥとの間でＴＡＵを行うよう要求する。列車は常に一方向に、たとえば北京から上海へ移動しているため、他のＭＲは常に、順番に同じＴＡ内に入ることになる。したがって、新たなＭＭＥが識別を行い、新たなＴＡＩリストが、同じ列車上のＭＲの間において共有され得る。（第１のＭＲ以外の）ＭＲに対するＴＡＵ完了信号は、新たなＭＭＥアイデンティティーおよび新たなＴＡＩリストを含む必要はない。この情報は、信頼できる通信リンクを介してＭＲの間において更新される。これを行うことによって、シグナリング・コストおよび失敗率が低減される。
【００５５】
以降では、ルートに沿って高速で移動している高速列車に伴う一例としての概念を示している。列車上のＵＥにとっては、そのトラッキング・リストを頻繁に更新することは望ましくない。その代わりに、Ｌ３中継が、ＵＥのためのグループ・モビリティーを実行することができる。基本的なアイデアは、すべてのＭＲセルを含む静的なＴＡＩリストをＵＥに保持させることである。ＵＥが列車上で１つの車両から別の車両へ移動する場合には、それらのＵＥは、いかなるトラッキング・エリア更新も実行する必要はない。ＭＲが、連携してＴＡＵを実行する。高速列車が軌道に沿って移動している場合には、各ＭＲは、そのＴＡＩリストを更新する必要がある。すべてのＭＲが、たとえば、常にアクティブ・モードにあって、同じＭＭＥに対して常に更新を行っている場合には、ＴＡＵ手順は、それらのＭＲの間において協同して実行され得る。協同のＴＡＵ手順は、この連携を可能にすることができる。列車が、新たなＭＭＥによって制御されるＴＡ内に入ると、ＭＲは、ＴＡＵ手順を実行する。第１のＭＲは、古いＭＭＥアイデンティティーを示すＲＲＣパラメータ（そのサービングＵＥのＩＤを含むこともできる）とともに、ＴＡＵ要求を新たなＭＭＥへ送信する。新たなＭＭＥは、第１のＭＲに関するコンテキスト情報を、そのＭＲに以前にサービス提供していた古いＭＭＥから取り出す。新たなＭＭＥは次いで、ベアラを作成したいという要求をＭＲのＳＧＷおよびＰＤＮゲートウェイ（ＰＧＷ）へ送信する。ベアラが作成されて、ロケーション情報が成功裏に更新された後に、新たなＭＭＥは、新たなＭＭＥに関連付けられているアイデンティティーを含むＴＡＵ受諾をＭＲへ送信する。第１のＭＲは、新たなアイデンティティーで更新を行い、完了信号を新たなＭＭＥへ送信する。
【００５６】
高速列車上の第２のＭＲは、新たなＭＭＥのＴＡ内に入ったときに、ＴＡＵを開始するようトリガーする。第２のＭＲは、古いＭＭＥアイデンティティーを示すＲＲＣパラメータ（そのサービングＵＥのＩＤを含むこともできる）とともに、ＴＡＵ要求を新たなＭＭＥへ送信する。新たなＭＭＥは、第２のＭＲのコンテキスト情報を、そのＭＲに以前にサービス提供していた古いＭＭＥから取り出す。次いで、新たなＭＭＥは、ベアラ作成要求をＭＲのＳＧＷおよびＰＧＷへ送信する。新たなＭＭＥに伴うベアラが作成されて、ロケーションが更新されると、新たなＭＭＥは、ＴＡＵ受諾を第２のＭＲへ送信する。このシグナリング・処理は、いかなるＭＭＥアイデンティティーまたはＴＡＩリストも含まないため、従来の処理とは異なる。対応するＭＭＥアイデンティティーおよび新たなＴＡＩリストを得るために、第２のＭＲは、要求を第１のＭＲへ送信する。なぜなら、第１のＭＲが、新たなＭＭＥアイデンティティーおよび新たなＴＡＩリストを格納しているためである。第２のＭＲは、新たなＴＡＩリストで成功裏に更新を行った後に、ＴＡＵ完了信号を新たなＭＭＥへ送信する。より多くのＭＲ、すなわち、第３のＭＲまたは第４のＭＲが存在する場合には、それらのＴＡＵ手順は、第２のＭＲと同じ処理に従う。ＭＭＥアイデンティティーおよびＴＡＩリスト情報の送信を、ＭＭＥとＭＲとの間におけるアクセス・リンクから、ＭＲ間における信頼できる通信チャネルへ移動させることによって、メッセージ送達の成功率が高まる。
【００５７】
高速列車シナリオにおけるモバイル中継のための提案されているトラッキング・エリア更新を採用することの利点は、下記の点であると言える。たとえば、３ＧＰＰのＬＴＥの従来のＴＡＵ手順においては、高速列車が、新たなＭＭＥによってカバーされるトラッキング・エリアへ移動すると、各ＵＥは、ＴＡＵを実行する。これは、更新シグナリングのバーストを引き起こして、ひいてはシステムに対する不安定性を高める可能性が非常に高い。静的なＴＡＩリストを列車内に保持することによって、この問題は回避され得る。複数のモバイル中継が採用されている場合には、新たなＭＭＥアイデンティティーおよびＴＡＩリストがＭＲ間において共有され得る。信頼できる通信リンクがＭＲ間において利用可能であると想定すると、ＴＡＩリストは、ＭＭＥとＭＲとの間におけるワイヤレス・アクセス・リンクを介する代わりに、ＭＲ間において要求され、送信される。このケースにおいては、シグナリング・コストが低減され、それに対応して、この送信の失敗率も低減される。
【００５８】
上記では、複数のモバイル中継によってグループ・モビリティーを実行するための実現可能な方法論が提供されている。列車上での複数のモバイル中継の間における信頼できる通信を活用することによって、我々の革新的なＴＡＵ手順は、更新信号のバーストを緩和すること、ならびに従来のＴＡＵ手順と比較してシグナリング・コストおよび待ち時間を低減することが可能であり、したがってＵＥのサービス品質を効率よく改善する。
【００５９】
ＭＲが、そのサービングＵＥのためにデータを中継する目的で常にＲＲＣ＿ＣＯＮＮＥＣＴＥＤモードにあるシナリオにおいては、各ＭＲがＤｅＮＢとの間でハンドオーバー手順を実行するとともにＭＭＥリロケーションが生じ、それによってＭＲは、新たなＭＭＥアイデンティティー、および最も可能性が高いものとして新たなＴＡリストを得る必要がある。協同のＴＡＵ手順の基本的なアイデアは、列車上の複数のＭＲにＴＡＩリスト情報を共有させることである。列車上の第１のＭＲは、新たなＭＭＥのＴＡ内に入ると、新たなＭＭＥとの間でＴＡＵを行うよう要求する。列車は常に一方向に、たとえば北京から上海へ移動しているため、他のＭＲは常に、順番に同じＴＡ内に入ることになる。したがって第１のＭＲは、新たに更新されたＴＡＩリストを同じ列車上の他のＭＲに通知することができる。次いで、ターゲットＤｅＮＢが第２のＭＲのためのハンドオーバー手順を完了すると、そのターゲットＤｅＮＢによってＴＡＵ要求が開始され得る。このケースにおいては、シグナリング・コスト、およびＭＲによって開始されるＴＡＵ要求の遅延がなくなる。
【００６０】
説明および図面は、本発明の原理を例示しているにすぎない。したがって、本明細書において明示的に説明または図示されていないが、本発明の原理を具体化し、本発明の趣旨および範囲内に含まれるさまざまな構成を当業者なら考案できるであろうことが理解されよう。さらに、本明細書において列挙されているすべての例は、主として、本発明の原理、および、当技術分野を進展させることに対して本発明者によって寄与された概念を理解する際に役立つための教示上の目的のものにすぎないことが明示的に意図されており、そのような具体的に列挙された例および状況に限定されるものではないと解釈されるべきである。その上、本発明の原理、態様、および実施形態、ならびにそれらの特定の例を列挙する本明細書におけるすべての記述は、それらの等価物を包含することを意図している。
【００６１】
（特定の機能を実行する）「〜のための手段」と示されている機能ブロックはそれぞれ、特定の機能を実行するように適合されている回路を含む機能ブロックとして理解されるものとする。したがって、「何かのための手段」は、「何かに適合されているまたは適している手段」として理解されて差し支えない。したがって、特定の機能を実行するように適合されている手段は、かかる手段が（所与の時点において）必ず前記機能を実行していることを意味しない。
【００６２】
あらゆる機能ブロックを含む、図示されているさまざまな要素の機能は、（たとえば、プロセッサとしての）専用のハードウェア、ならびに、適切なソフトウェアと関連付けてソフトウェアを実行することができるハードウェアの使用を通じて提供され得る。それらの機能は、プロセッサによって提供される場合には、単一の専用のプロセッサによって、単一の共有プロセッサによって、または複数の個別のプロセッサ（そのうちのいくつかは、共有され得る）によって提供され得る。その上、「プロセッサ」または「コントローラ」という用語の明示的な使用は、ソフトウェアを実行することができるハードウェアだけを指すと解釈されるべきではなく、デジタル・シグナル・プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納するための読取り専用メモリ（ＲＯＭ）、ランダム・アクセス・メモリ（ＲＡＭ）、および不揮発性ストレージを暗に含むことができるが、それらには限定されない。他のハードウェアが、通常のものであれ、かつ／またはカスタムのものであれ、含まれることも可能である。
【００６３】
本明細書におけるあらゆるブロック図は、本発明の原理を具体化する例示的な回路の概念的な図を表していることを当業者なら理解されたい。同様に、あらゆるフローチャート、流れ図、状態遷移図、疑似コードなどは、コンピュータ可読媒体において実質的に表すことが可能な、したがってコンピュータまたはプロセッサによって実行可能な（そのようなコンピュータまたはプロセッサが明示的に示されているか否かにかかわらず）さまざまな処理を表していることが理解されよう。
【００６４】
さらに、以下の特許請求の範囲は、本明細書においては「発明を実施するための形態」に組み込まれており、各請求項は、個別の実施形態として単独で有効であることが可能である。各請求項は、個別の実施形態として単独で有効であることが可能である一方、１つの従属請求項が、特許請求の範囲において１つまたは複数の他の請求項との特定の組合せに言及する場合があるが、他の実施形態は、その従属請求項と、それぞれの他の従属請求項の主題との組合せを含むこともできることに留意されたい。本明細書においては、特定の組合せが意図されていないと記載されていない限り、そのような組合せが提案されている。さらに、１つの請求項の特徴は、たとえこの請求項がその独立請求項に直接従属していないとしても、他の任意の独立請求項に含まれることを意図している。
【００６５】
本明細書において、または特許請求の範囲において開示されている方法は、それらの方法の各ステップの各々を実行するための手段を有するデバイスによって実施され得ることにさらに留意されたい。
【００６６】
さらに、本明細書または特許請求の範囲において開示されている複数のステップまたは機能の開示は、特定の順序内にあるものと解釈してはならないことを理解されたい。したがって、複数のステップまたは機能の開示は、そのようなステップまたは機能が、技術的な理由から交換可能でない限り、それらのステップまたは機能を特定の順序に限定することはない。さらに、いくつかの実施形態においては、単一のステップは、複数のサブ・ステップを含むことができ、または複数のサブ・ステップに分割され得る。そのようなサブ・ステップは、明示的に除外されていない限り、その単一のステップの開示に含まれ、その一部とすることができる。
【図１】
2015510346.tif 000003
【図２】
2015510346.tif 000004
【図３】
2015510346.tif 000005
【図４】
2015510346.tif 000006
【図５】
2015510346.tif 000007
【図６】
2015510346.tif 000008
【国際調査報告】
2015510346.tif 000009
2015510346.tif 000010
2015510346.tif 000011